(57)【要約】【課題】ロードセルの温度補償を徹底させる必要から製造コストが高く付く、また、本体ケース内には、電源回路、ロードセル、回路基板等が横並びで収納されるので、本体ケースをコンパクトにできない。さらに、本体ケース内を冷却ファンで冷却すると、ロードセル出力が風の影響を受けて不安定になる。これらの問題を解決した安価な計量装置を提供する。【解決手段】計量装置はロードセル、回路部、電源回路、制御部等が収納されるケースを上下二段重ねの分離されたケースとし、下部ケースには、制御部と電源回路とを収納し、上部ケースには、少なくともロードセルと回路部とを収納する。【選択図】図２
2015064389.tif 000002
【特許請求の範囲】
【請求項１】
計量皿に載荷される被計量物の重量をアナログ信号として出力するロードセルと、そのロードセル出力を信号処理してデジタル重量信号を出力する回路部と、そのデジタル重量信号を取得し、前記取得したデジタル信号を処理する制御部と、少なくとも前記制御部に電力を供給する電源回路と、これらを収納するケースとを備える計量装置であって、
前記ケースは、下部ケースと、上部ケースとから構成され、
前記下部ケースと、前記上部ケースは、物理的および電気的に分離され、かつ少なくとも上下二段重ね可能であって、
前記下部ケースは、前記制御部および前記電源回路を少なくとも収納し、
前記上部ケースは、前記ロードセル、前記回路部を少なくとも収納する計量装置。
【請求項２】
計量皿に載荷される被計量物の重量をアナログ信号として出力するロードセルと、そのロードセル出力を信号処理してデジタル重量信号を出力する回路部と、そのデジタル重量信号を取得し、前記取得したデジタル重量信号を処理する制御部と、少なくとも前記制御部に電力を供給する電源回路と、これらを収納するケースとを備える計量装置であって、
前記ケースは、下部ケースと、上部ケースとから構成され、
前記下部ケースと、前記上部ケースは、物理的に別体のケースで構成され、さらに少なくとも上下二段重ね可能であって、
前記下部ケースは、前記制御部および前記電源回路を少なくとも収納し、
前記上部ケースは、前記ロードセルおよび前記回路部を少なくとも収納する計量装置。
【請求項３】
前記上部ケースは、前記ロードセル、前記回路部および前記回路部に少なくとも電力を供給するバッテリーを少なくとも収納する請求項１および２に記載の計量装置。
【請求項４】
前記回路部は、（１）前記上部ケースと前記下部ケースが有線ケーブルにて接続されている場合、前記デジタル重量信号を、少なくとも前記有線ケーブルを用いて前記下部ケースに収納される前記制御部に出力できる第１の出力モードと、（２）前記上部ケースと前記下部ケースが前記有線ケーブルを用いては接続されておらず無線通信を用いて接続されている場合、前記デジタル重量信号を前記無線通信にて前記下部ケースに収納される前記制御部に出力する第２の出力モードとを実行できる請求項１から３に記載の計量装置。
【請求項５】
前記上部ケースは、外部から電力供給を受けながら駆動する第１の駆動状態と、外部から電力供給は受けずに前記上部ケース内に収納された前記バッテリーにより駆動する第２の駆動状態とを実行できる請求項３に記載の計量装置。
【発明の詳細な説明】
【技術分野】
【０００１】
この発明は、肉や惣菜等の量り売りに使用される計量装置に関する。
【背景技術】
【０００２】
周知のように、重量センサとしてのロードセルは、周囲の温度変化によって出力感度や零点出力が変化する。そのため、ロードセルが組み込まれる計量装置では、例えば、ロードセルの出力回路に温度補償抵抗を接続したり（特許文献１参照）、無負荷時の零点を自動的に更新するオートトラッキングを働かせたり（特許文献２参照）、ケーシング内の温度を検出して、ロードセルの出力に補正係数を掛けて温度ドリフトによる影響を低減したりする（特許文献３参照）試みがなされている。
【０００３】
一方、スーパーマーケット等の対面販売コーナーでは、肉や惣菜等の商品を計量し、得られた商品重量に単価を掛けて価格を算出し、それらをラベルやレシートに印字する対面式の計量印字装置が使用されるが、こうした計量装置では、下記特許文献４乃至６に開示されているように、本体ケース内に温度変化を嫌うロードセルと、通電によって発熱する電源回路やプリンタ等が一緒に収納されるので、そこに収納されるロードセルには、特に入念な温度補償を必要とする。
【先行技術文献】
【特許文献】
【０００４】
【特許文献１】特許第３５３４２０５号公報
【特許文献２】特許第３５６８６０９号公報
【特許文献３】特開２００８−６４４９７号公報
【特許文献４】特開２００２−３１０７７６号公報
【特許文献５】特許第４４４９３１０号公報
【特許文献６】特開２００９−１４４５５号公報
【発明の概要】
【発明が解決しようとする課題】
【０００５】
そのため、この種の計量装置に搭載されるロードセルは、高度な温度補償を行わねばならないので、製造コストが高く付くという問題があった。また、本体ケース内には、電源回路、ロードセル、回路基板、プリンタ等が収納されるので、本体ケースをコンパクトにできない問題もあった。さらに、本体ケース内を冷却ファンで冷却すると、ロードセル出力が風の影響を受けて不安定になるという問題もあった。
【０００６】
この発明は、こうした問題を全て解決することのできる安価な計量装置を提供することを課題とする。
【課題を解決するための手段】
【０００７】
上記課題を解決するために、本実施形態の一例としての計量印字装置は、計量皿に載荷される被計量物の重量をアナログ信号として出力するロードセルと、そのロードセル出力を信号処理してデジタル重量信号を出力する回路部と、そのデジタル重量信号を入力して印字データを出力する制御部と、その印字データに基づいてラベル又はレシートに所定事項を印字するプリンタと、少なくとも前記制御部と前記プリンタとに電力を供給する電源回路と、これらを収納するケースとを備えてなる計量印字装置であって、前記ケースを上下二段重ねの分離されたケースとし、下部ケースには、制御部とプリンタと電源回路とを収納し、上部ケースには、少なくともロードセルと回路部とを収納したことを特徴とする。
【０００８】
この構成によれば、温度上昇が避けられない電源回路と、温度上昇を嫌うロードセルとを物理的に隔絶して、電源回路の発熱によるロードセルへの影響を排除するので、ロードセルに対する温度補償を軽微なものに止めることができる。また、一つのケース内に横並びで収納されていたロードセルと電源回路とを上部ケースと下部ケースとに分離して収納したので、ケース自体の横幅を小さくすることができる。加えて、電源回路を冷やすための冷却ファンは、ロードセルが収納されない下部ケースに収納されるので、冷却ファンによるロードセルへの風の影響を無くすことができる。
【０００９】
また、本実施形態の一例としての計量印字装置は、上部ケースが、脚部を有する金属製のベース部材と、そのベース部材の上に非接触状態で被させられ、かつ、計量皿が載置される金属製の皿受け部材とで構成され、この両部材がロードセルを介して上下に結合されている構成でも構わない。
【００１０】
この構成によれば、下部ケース内の温度が上昇しても、それと分離された上部ケースは、熱伝導性に優れた金属部材で構成され、しかも、常に室内に晒されているから、ほぼ室温に維持される。したがって、これらの金属部材で囲まれたロードセルと回路部も、緩慢に変化する室温に維持されるから、ロードセルに対する温度補償を軽微なものに止めることができる。
【００１１】
また、本実施形態の一例としての計量印字装置は、上部ケースには、ロードセルと回路部とに給電するバッテリーと、回路部が出力するデジタル重量信号をワイヤレスで送信する送信部とが設けられ、下部ケースには、デジタル重量信号をワイヤレスで受信して、それを制御部に出力する受信部が設けられている構成でも構わない。
【００１２】
この構成によれば、分離された上部ケースから下部ケースへワイヤレスで重量信号を伝達することができるので、計量皿が載置された上部ケースを、使い勝手のよい場所に移動させて使うことができる。しかも、上部ケースは、背の低いロードセルを使用することで、可及的に薄くすることができるので、そうした薄い上部ケースをショーケース上に設置すれば、肉や惣菜等の計量皿への載せ降ろしが楽になるメリットがある。
【００１３】
また、本実施形態の一例としての計量印字装置は、バッテリーが充電式の二次電池であり、上部ケースが下部ケースの上に載置されると、二次電池が電源回路と電気的に接続されて給電される構成でも構わない。
【００１４】
この構成によれば、使用時には、上部ケースと下部ケースを分離させて使用し、不使用時には、上部ケースを下部ケースの上に重ねるだけで、二次電池を充電することができる。したがって、長時間の使用に耐え得る大容量のバッテリーを搭載しなくても済むので、上部ケースをよりコンパクトにすることができる。
【００１５】
また、本実施形態の一例としての計量印字装置は、電源回路から二次電池にワイヤレスで電力を供給するワイヤレス給電装置が設けられている構成でも構わない。
【００１６】
この構成によれば、ワイヤレスで二次電池に充電できるので、上部ケースと下部ケースとの分離結合が自由にできる。したがって、使用場所に応じて各ケースの配置構成を自由に変えることができるから、計量印字装置としての汎用性が増す。
【００１７】
また、本実施形態の一例としての計量印字装置における下部ケースの店側側面には、該装置を操作することのできるタッチパネルが付設され、それと対向する客側側面には、商品名、重量、価格を表示する表示部が設けられ、さらに、前記タッチパネルの背面側上部には、前記プリンタのラベルやレシートの発行口が臨まされている構成でも構わない。
【００１８】
この構成によれば、プリンタの前面にタッチパネルを配置することができるので、タッチパネルの横幅を下部ケースの横幅一杯にまで広げることができる。従来装置では、タッチパネルの横にプリンタの発行口を並設していたので、本体ケースの横幅が広くなっていたが、この発明装置では、タッチパネルの背面にプリンタの発行口が位置するので、下部ケースの幅をよりコンパクトにすることができる。
【００１９】
また、本実施形態の一例としての計量印字装置は、タッチパネルを跳ね上げると、その跳ね上げ動作に連動してプリンタの前面に設けられたカセット挿入ゲートが開放される構成でも構わない。
【００２０】
この構成によれば、タッチパネルを跳ね上げるだけで、プリンタのカセット装着ゲートが開いて、カセットの出し入れができるので、カセットの出し入れが容易になるとともに、そこに収納されたラベルやレシートの交換も容易になる。
【００２１】
また、本実施形態の一例としての計量印字装置は、下部ケースの客側側面には、ポールが立設され、そのポールに商品名、重量、価格を表示する表示部が設けられる構成でも構わない。
【００２２】
この構成によれば、計量印字装置を調理台やテーブル等のような比較的低い場所に設置しても、表示部を見やすい高さまで上げることができるので、ショーケースを置かない鮮魚店等の販売形態にも対応することができる。
【発明の効果】
【００２３】
この発明によれば、ロードセルに対する温度補償を、室温変化による影響を押えるだけの軽微なものに止めておくことができるので、製造コストを押えた安価な計量装置を提供することができる。また、装置の横幅を従来装置よりもコンパクトにすることができるので、ショーケースの上に設置して使用しても、従来装置ほど場所を取らない利点がある。さらに、計量皿が載置された薄い上部ケースを、電源回路が収納された分厚い下部ケースと分離させて使用することができるので、薄い上部ケースだけをショーケースの上に設置すれば、計量皿への被計量物の載せ降ろしが楽になる。加えて、電源回路を冷却するファンを設けても、冷却ファンによるロードセルへの風の影響を完全に無くすことができる。
【図面の簡単な説明】
【００２４】
【図１】この発明の一実施形態に係る計量印字装置の外観斜視図を示す。
【図２】図１の上部ケースにおいてａ−ａ方向から見た断面図を示す。
【図３】上部ケースから計量皿を取り除いたときの外観斜視図を示す。
【図４】下部ケースの上蓋を取り除いて下部ケース内を覗いたときの平面図を示す。
【図５】下部ケース前面のタッチパネルを跳ね上げた状態の外観斜視図を示す。
【図６】カセット挿入ゲートのロック機構の要部斜視図を示す。
【図７】前記実施形態の下部ケースを客側から見た外観斜視図を示す。
【図８】この発明の他の実施形態に係る計量印字装置の外観斜視図を示す。
【図９】この発明のさらに他の実施形態に係る計量印字装置の外観斜視図を示す。
【図１０】これらの実施形態に係る計量印字装置のブロック線図を示す。
【図１１】上記実施形態で使用されるワイヤレス給電装置のブロック線図を示す。
【図１２】上部ケースに収納されるロードセルと回路部のブロック線図を示す。
【発明を実施するための形態】
【００２５】
以下、この発明の一実施形態を図面に基づいて説明する。
【００２６】
図１は、この発明の一実施形態に係る計量印字装置Ａの外観斜視図を示し、特に、この図では、計量皿Ｂが載置された上部ケース１００を下部ケース２００から降ろした状態を示している。この図１において、計量印字装置Ａは、前面にタッチパネル３００が、背面に客側表示部３１０がそれぞれ取り付けられた下部ケース２００と、計量皿Ｂが載置された上部ケース１００とを備え、これらの各ケース１００、２００は、分離可能で、かつ、上部ケース１００を下部ケース２００の上に重ねることができるようになっている。
【００２７】
前記上部ケース１００は、図２の断面図に示すように、脚部１０１が設けられた金属製のベース部材１０２と、そのベース部材１０２の上に非接触状態で被さる金属製の皿受け部材１０３とで構成され、この両部材１０２、１０３がロードセル４００を介して上下に結合されている。また、皿受け部材１０３の上面には、金属製の計量皿Ｂが被せられている。
【００２８】
前記ベース部材１０２は、図３に示すように、全体が矩形状をなし、その四隅には、雌ネジが施されたボス部１０４が形成され、そのボス部１０４の雌ネジに脚部１０１の軸ボルトが捻じ込まれ、その捻じ込み量の調整により、ベース部材１０２の水平度が調整できるようになっている。また、図２に示すように、ベース部材１０２の上面には、ロードセル４００の周囲を囲む補強用リブ１０５と、そこから周囲に広がる図示しない補強用リブとが形成されており、さらに、ベース部材１０２のロードセル取り付け面には、座金状のボス部１０６が形成され、そのボス部１０６を貫通する雌ネジにボルト１０７が捻じ込まれてロードセル４００がベース部材１０２に固定されている。
【００２９】
前記皿受け部材１０３は、図３に示すように、全体が同じく矩形状をなし、その四隅は、各ボス部１０４と干渉しないように円弧状にカットされ、そのカット面には、水平ブラケット１０８が設けられている。そのブラケット１０８には、ネジ穴が設けられており、ストッパーとしての図示しない調整ボルトが捻じ込まれて、そのボルト先端部とベース部材１０２との間隔調整により、皿受け部材１０３の過度な沈下が調整ボルトによって規制できるようになっている。また、皿受け部材１０３の上面４ヶ所には、計量皿Ｂの裏面に設けられたピンを挿入するためのゴム製ブッシュ１０９が取り付けられ、中央部には、ロードセル４００の偏置誤差を修正するための工具挿入窓１１０が設けられている。また、その横には、皿受け部材１０３をロードセル４００に固定するためのボルト取り付け窓１１１と、スパン調整ネジ１１２を操作するための操作窓１１３と、ベース部材１０２に取り付けられた回路基板１１４（図１０の回路部１４０）の電子部品１１５を逃がすための窓１１６と、水準器１２０を覗き見るための覗き窓１１７とが設けられている。そして、計量皿Ｂを被せるときは、図２に示すように、皿受け部材１０３の上面にクション材１３０を敷き詰め、その上から計量皿Ｂを被せて皿受け部材１０３に固定する。
【００３０】
なお、皿受け部材１０３の裏面には、ベース部材１０２のリブ１０５と非接触状態で嵌り合う補強用リブ１１８が設けられている。また、スパン調整窓１１３には、封印カバー１１９が被せられるが、図３では、そのカバー１１９をボルト取り付け窓１１１まで延伸させて取り付けた状態を示している。さらに、ベース部材１０２の水平度を見るための水準器１２０は、ベース部材１０２に取り付けられ、皿受け部材１０３には、その水準器１２０と非接触状態で嵌り合う貫通孔１１７が設けられ、計量皿Ｂには、その水準器１２０を覗き見るための覗き窓１２１（図１参照）が設けられている。さらに、ベース部材１０２の裏面側には、図１０のバッテリー１６０を収納するスペースと、無線モジュールが実装された回路基板（図１０の送信部１５０）を収納するスペースとが設けられている。
【００３１】
前記ロードセル４００は、図２に示すように、中央部がめがね状に刳り貫かれて薄肉にされた上下の歪受感部４０１に歪ゲージを貼付してなる周知構造のものであるが、特にこの実施形態では、ロードセル４００を可及的に扁平にして、上部ケース１００全体の厚みが薄くなるようにしている。そして、ロードセル４００の向かって左側の固定部４０２がベース部材１０２にボルト１０７で固定され、右側の可動部４０３が皿受け部材１０３にボルト１２２で固定されて、皿受け部材１０３がロードセル４００を介してベース部材１０２から浮いた状態で支持されるようになっている。また、可動部４０３に固定される皿受け部材１０３の下面には、座金状のボス１２３が形成されており、このボス１２３とベース部材１０２に形成されたボス１０６とで、ボルト１０７、１２２の締め付けによる歪ゲージへの影響が低減されるようにしている。
【００３２】
なお、前記ロードセル４００の可動部４０３には、歪受感部４０１よりも一段低くした段差部が設けられて、ボルト１２２の頭が下部ケース１００内に収まるようにしている。また、歪ゲージが貼付された歪受感部４０１の上下面には、防湿剤４０４が貼り付けられている。そして、前記可動部４０３に近接するベース部材１０２には、上下に貫通するネジ穴が設けられ、そこに底面からストッパー用のボルト１２４が捻じ込まれて、その捻じ込み量の調整により、前記可動部４０３が過度に沈下するのを規制している。
【００３３】
図４は、下部ケース２００の上蓋を外して内部の各デバイスの配置構成を示したもので、向かって右半分には、カセット式のプリンタ５００（破線で囲まれた部分）が配置され、その左隣には、プリンタ５００の駆動モータ５０１と電源コネクタ２０１が配置され、その左隣には、コンピュータが実装された回路基板２０２が配置され、さらにその左隣には、スピーカー２０３と無線通信モジュールが実装された回路基板２０４とが配置され、さらにその左隣には、電源回路２０５とそれを冷却する冷却ファン２０６とが配置されている。なお、無線モジュールの回路基板２０４には、そこから下部ケース２００の裏面を通って外部に伸びるアンテナ２０７が接続されている。
【００３４】
前記プリンタ５００は、プリンタ本体に出し入れできるカセット５０２を備え、そのカセット５０２には、ラベルやレシート５７０（図１参照）のロール５０３が装着されるホルダー５０４と、ラベルの台紙を巻き取る巻取ローラ５０５と、印字ローラ５０６とが設けられている。そして、カセット５０２をプリンタ本体に挿入すると、駆動モータ５０１の駆動歯車５０７に、巻取ローラ５０５と印字ローラ５０６の駆動歯車が歯車列を介して噛み合って回転力が伝達されるようになっている。
【００３５】
こうした構成は、周知であるので、その詳細な説明は省略するが、カセット５０２を出し入れする側（前面）には、タッチパネル３００が設けられているので、この実施形態では、図５に示すように、前面のタッチパネル３００を跳ね上げると、それと連動してカセット５０２を挿入するゲート５０８のロックが解除されて、ゲート５０８が下向きに開放されるようになっている。前記ゲート５０８の内側には、先端部にサーマルヘッド５０９が取り付けられ、その下方にロック機構が設けられて、開放されたゲート５０８を元の位置に戻すと、サーマルヘッド５０９が印字ローラ５０６に密着するとともに、ロック機構が働いて、ゲート５０８が閉じた姿勢に保持されるようになっている。なお、このプリンタ５００では、ラベルやレシート５７０の発行口５８０を閉じたゲート５０８の先端部に設けるとともに、そこから垂直面に対し斜め３５度に前傾した姿勢でラベルやレシート５７０が発行されるようにしている。したがって、図１、図９に示すように、発行されるラベルやレシート５７０は、タッチパネル３００と干渉しないようになっている。また、発行口５８０の後方にある計量皿Ｂへの接触も防ぐことができる。図５では、計量皿Ｂが載置された上部ケース１００を下部ケース２００の上に重ねた状態を示している。また、タッチパネル３００を跳ね上げた下部ケース２００の前面側には、電源スイッチ２０７が設けられ、その上方には、リセットスイッチ２０８が設けられている。
【００３６】
図６は、前記ゲート５０８のロック機構５５０の斜視図を示したもので、タッチパネル３００は、図４のアーム３０４を介してシャフト３０６と一体的に連結されているから、タッチパネル３００を跳ね上げると、それと連動してシャフト３０６が矢印方向ｄに回転し、その端部に固定されたフック５５１も同方向ｄに回転してレバー５５２を矢印方向ｅに回転させる。すると、レバー５５２は、回転軸５５３を中心として矢印方向ｅに回転してプレート５５４の折り曲げ部５５５に当り、その折り曲げ部５５５をさらに回転軸５５３を中心として矢印方向ｅに回転させる。すると、プレート５５４に設けられた円弧状のフック５５６がピン５５７から外れる。こうしたプレート５５４とピン５５７とからなる機構は、対面側にも設けられ、しかも、両プレート５５４が連結板５５８で連結されているので、対面側でも同様な回転運動が生じてフック５５６がピン５５７から外れる。
【００３７】
一方、両サイドのピン５５７は、下部ケース２００のフレームに固定されており、また、ゲート５０８は、パネル５１１の下端に設けられた軸５１３を中心にして矢印方向ｆへ回転するように構成されているので、フック５５６がピン５５７と係合している間は、フック５５６の回転軸５５３回りの回転半径の方が、ゲート５０８の軸５１３回りの回転半径よりも小さいため、ゲート５０８の軸５１３回りの回転は、ピン５５７によって阻止される。しかし、フック５５６がピン５５７から外れると、ピン５５７による阻止が解除されるので、ゲート５０８は、軸５１３を中心にして矢印方向ｆへ回転して開放される。なお、連結板５５８には、下向きに延伸する手動レバー５５９が設けられ、このレバー５５９が、図１、図８、図９に示すゲート５０８前面の操作窓５６０に臨まされ、その操作窓５６０から手動レバー５５９を押せば、同様にフック５５６がピン５５７から外れるようになっている。また、図６のフレーム先端部５１０には、サーマルヘッド５０９が取り付けられ、それより下方のパネル５１１には、折り曲げ部５１２が設けられ、その折り曲げ部５１２にゲート５０８の前面カバーの裏面が固定されるようになっている。
【００３８】
図４に戻って、タッチパネル３００は、二つのチルト機構３０１、３０２を介して下部ケース２００の前面上部に取り付けられている。第１のチルト機構３０１は、タッチパネル３００の背面に設けられた回転軸３０３を中心にして、タッチパネル３００がアーム３０４に対して任意角度に回動し、これにより、タッチパネル３００の傾斜角度が自由に変えられるようになっている。第２のチルト機構３０２は、タッチパネル３００の跳ね上げ動作と、カセット挿入ゲート５０８の開放運動とを連動させたもので、下部ケース２００の前面上部に設けられたシャフト３０６に前記アーム３０４がブラケット３０８を介して固定され、タッチパネル３００を跳ね上げると、その跳ね上げ動作に伴ってアーム３０４とブラケット３０８がシャフト３０６を中心にして回転し、これにより、タッチパネル３００が図５に示す状態にまで跳ね上がるようになっている。第１チルト機構３０１の回転軸３０３には、摩擦機構が組み込まれ、任意角度でタッチパネル３００の傾斜姿勢が保持されるようになっている。また、シャフト３０６の左端には、トルクリミッター３０７が設けられて、タッチパネル３００が跳ね上げられた姿勢で保持されるようになっている。また、シャフト３０６の右端には、図６のフック５５１が固定され、タッチパネル３００の跳ね上げ運動に連動してフック５５１が回転するようになっている。なお、図５では、チルト機構３０１にカバー３０８を被せているが、図４では、それを外して示している。
【００３９】
前記タッチパネル３００には、プリンタ５００や計量装置を操作するための各種のファンクションキーが表示され、併せて、操作メッセージやメモリ２３０（図１０参照）から読み出された商品情報等が画面を切り替えて表示されるが、下部ケース２００の背面側、即ち、客側側面にも同様な表示部３１０が設けられている。図７は、下部ケース２００を客側から見た斜視図を示しており、その客側側面には、被計量物の商品名、重量、価格、販促文字等が表示される表示部３１０が取り付けられている。
【００４０】
図８は、他の実施形態に係る計量印字装置を示したもので、この実施形態では、下部ケース２００の客側側面にポール取り付け部３２０を設け、そこに立設した一対のポール３２１先端部にタッチパネル３００と、客側表示部３１０とを取り付けている。
【００４１】
また、図９は、さらに他の実施形態に係る計量印字装置を示したもので、この実施形態では、下部ケース２００の前面にタッチパネル３００を取り付け、一方、一対のポール３２１先端部には、客側表示部３１０を取り付けている。この実施形態に係る計量皿Ｂは、サイズの大きな商品を計量するために、図１に示す計量皿Ｂよりも幅広に形成されている。そのため上部ケース１００のベース部材１０２には、取っ手としてのハンドル１５０が取り付けられている。
【００４２】
図１０は、以上の各実施形態に組み込まれる各デバイスのブロック線図を示す。この図において、上部ケース１００には、ロードセル４００と、そのロードセルのアナログ出力を信号処理してデジタル信号を出力する回路部１４０と、その回路部１４０のデジタル出力を無線送信する送信部１５０と、これらの各デバイスに電力を供給するバッテリー１６０とが収納されている。一方、下部ケース２００には、送信部１５０から送られてくる信号を受信する受信部２１０と、受信部２１０から出力される重量信号とタッチパネル３００の操作によってメモリ２３０から読み出された商品情報とに基づいて表示データや印字データを生成するマイクロコンピュータからなる制御部２２０と、印字データを入力してラベル又はレシートに印字するプリンタ５００と、これらのデバイスに電力を供給する電源回路２４０とが収納されている。また、下部ケース２００には、前述のタッチパネル３００と客側表示部３１０とが外付けされ、これらには、制御部２２０から表示データが送信されるとともに、電源回路２４０から電力が供給されて、画面上に商品名、重量、価格、メッセージ等が表示されるようになっている。
【００４３】
前記バッテリー１６０としては、乾電池を使用するが、充電ができる二次電池を使用することもできる。この場合には、例えば、電磁誘導式のワイヤレス給電装置２５０を付設する。この給電装置２５０は、図１１に示すように、電源回路２４０から出力される直流電流をインバーター２５１で高周波に変換して一次コイル２５２に送り、電磁誘導によって二次コイル２５３に高周波電流を励起する。それをコンバーター２５４で直流に変換してから規定電圧をバッテリー１６０に供給する。この給電装置２５０を使用する場合は、インバーター２５１と一次コイル２５２は、下部ケース２００の上蓋裏面に収納し、二次コイル２５３とコンバーター２５４は、上部ケース１００の対向する近接位置に収納する。このようにすれば、上部ケース１００を下部ケース２００の規定位置に重ねるだけで、二次電池に充電することができる。
【００４４】
図１２は、ロードセル４００のブリッジ回路４１０と回路部１４０の構成を示したもので、ロードセル４００に使用する歪ゲージＲ１、Ｒ２，Ｒ３，Ｒ４としては、温度変化に起因する歪受感部４０１の熱膨張やヤング率の変化量を補償した補償型歪ゲージを使用する。その歪ゲージＲ１、Ｒ２，Ｒ３，Ｒ４でブリッジ回路４１０を形成し、そのアナログ出力をプリアンプ１４１で増幅した後、シグマデルタ型Ａ／Ｄ変換器１４２でデジタル量に変換して、マイクロコンピュータ１４３に入力し、そこでノイズ成分をフィルタリングしてデジタル重量信号として送信部１５０に出力する。また、これらの各デバイスには、バッテリー１６０から規定電圧が供給されている。なお、前記回路部１４０は、プリアンプ１４１と、Ａ／Ｄ変換器１４２と、マイクロコンピュータ１４３とから構成される。
【００４５】
一方、送信部１５０から発信されたデジタル重量信号は、下部ケース２００内の受信部２１０で受信されて制御部２２０に出力される。制御部２２０では、指定商品の単価をメモリ２３０から読出し、読出した単価と受信部２２０から入力した商品重量とに基づいて価格を算出し、算出した価格と読み出した商品情報とを客側表示部３１０とタッチパネル３００に出力する。前記メモリ２３０には、取り扱う全商品の品名、単価等の商品情報やメッセージが登録されており、タッチパネル３００を操作すると、これらの情報が読み出されて、タッチパネル３００や客側表示部３１０に表示されるようになっている。
【００４６】
以上、この発明の実施形態を説明したが、この発明は、これらの実施形態に限定されるものではなく、これ以外の態様も採用可能である。例えば、図１０では、送信部１５０と受信部２１０を設けてワイヤレスで重量信号を送信するようにしたが、これに代えてケーブルを介して回路部１４０から制御部２２０へデジタル重量信号を送信するようにしてもよい。その際、併せて、ケーブルで電源回路２４０からバッテリー１６０へ電力を供給することもできる。さらには、バッテリー１６０を使わずに、電源回路２４０から直接、上部ケース１００内の各デバイスに電力を供給するようにしてもよい。また、ワイヤレス給電装置２５０を使わずに、例えば、上部ケース１００の底面と下部ケース２００の上蓋との対向位置にコネクタを取り付けて、上部ケース１００を下部ケース２００の上に重ねると、コネクタが接続されて、バッテリー１６０に給電されるようにすることもできる。さらに、図１２では、自己温度補償型の歪ゲージや温度感度補償型の歪ゲージを用いたが、それに加えて、ブリッジ回路に温度センサを組み込み、室温に応じて変化する零点をソフト的に補償する機能をマイクロコンピュータ１４３に組み込めば、ハード的な補償を施す必要がないので、より安価で高精度な計量装置を得ることができる。
【符号の説明】
【００４７】
Ａ      計量印字装置
Ｂ      計量皿
１００      上部ケース
１０１      脚部
１０２      ベース部材
１０３      皿受け部材
１４０      回路部
１５０      送信部
１６０      バッテリー
２００      下部ケース
２１０      受信部
２２０      制御部
２３０      メモリ
２４０      電源回路
２５０      ワイヤレス給電装置
３００      タッチパネル
３１０      客側表示部
３２１      ポール
４００      ロードセル
５００      プリンタ
５０８      カセット挿入ゲート（ゲート）
５７０      ラベル又はレシート
５８０      発行口
【図１０】
2015064389.tif 000003
【図１１】
2015064389.tif 000004
【図１２】
2015064389.tif 000005
【図１】
2015064389.tif 000006
【図２】
2015064389.tif 000007
【図３】
2015064389.tif 000008
【図４】
2015064389.tif 000009
【図５】
2015064389.tif 000010
【図６】
2015064389.tif 000011
【図７】
2015064389.tif 000012
【図８】
2015064389.tif 000013
【図９】
2015064389.tif 000014